(57)【要約】【課題】本発明は、枕を使用している者だけが音楽等を聴くことができて、周囲の者には音楽等が聴こえない骨伝導スピーカー内蔵枕を提供する。【解決手段】骨伝導スピーカー内蔵枕１０の枕本体１２はウレタン１４で平面視略逆ハート形状に一体形成されている。この枕本体１２の中央部には枕本体１２の前後方向に沿って平面視略逆ハート形状の窪み部１６が形成されている。前記枕本体１２の窪み部１６の両側部に形成された傾斜部１７，１７には骨伝導スピーカー収容穴１８，１８が少し傾斜した状態で形成されている。これら骨伝導スピーカー収容穴１８，１８には超磁歪アクチュエータを利用して形成された骨伝導スピーカー２０，２０がそれぞれ収容されている。【選択図】　　図１
2004057261.tif 000002
【特許請求の範囲】
【請求項１】
頭部を保持する枕本体と、この枕本体に形成された骨伝導スピーカー収容穴と、この骨伝導スピーカー収容穴に収容された超磁歪アクチュエータを利用して形成された骨伝導スピーカーと、を有してなることを特徴とする骨伝導スピーカー内蔵枕。
【請求項２】
頭部を保持する枕本体と、この枕本体に形成された骨伝導スピーカー収容穴と、この骨伝導スピーカー収容穴に収容されると共に超磁歪アクチュエータを利用して形成された骨伝導スピーカーと、この骨伝導スピーカーのケーシングの中央に配設されると共に磁界の変化によって伸縮する性質を有する合金で形成された超磁歪ロッドと、この超磁歪ロッドの外周に配設されると共に音声信号が供給される磁界発生電磁コイルと、この磁界発生電磁コイルの外周に配設されると共に前記超磁歪ロッドにバイアス磁界を付与するバイアス磁界発生磁石と、前記超磁歪ロッドの端部に形成されると共に前記磁界発生電磁コイルで生ずる磁界変化により伸縮する自由端と、この自由端に可動ロッドを介して固定されると共に前記枕本体に載せた頭部が当接する振動パッドと、を有してなることを特徴とする骨伝導スピーカー内蔵枕。
【請求項３】
頭部を保持する枕本体と、この枕本体の中央部に前後方向に沿って形成された窪み部と、この窪み部の両側部に形成された傾斜部と、この傾斜部に形成された骨伝導スピーカー収容穴と、この骨伝導スピーカー収容穴に収容されると共に超磁歪アクチュエータを利用して形成された骨伝導スピーカーと、この骨伝導スピーカーのケーシングの中央に配設されると共に磁界の変化によって伸縮する性質を有する合金で形成された超磁歪ロッドと、この超磁歪ロッドの外周に配設されると共に音声信号が供給される磁界発生電磁コイルと、この磁界発生電磁コイルの外周に配設されると共に前記超磁歪ロッドにバイアス磁界を付与するバイアス磁界発生磁石と、前記超磁歪ロッドの端部に形成されると共に前記磁界発生電磁コイルで生ずる磁界変化により伸縮する自由端と、この自由端に可動ロッドを介して固定されると共に前記枕本体に載せた頭部が当接する振動パッドと、前記骨伝導スピーカーに一端部が接続される第１コードと、この第１コードの他端部が接続されると共に第２コードを介して音響装置に接続されるアンプと、このアンプに接続されるアダプタと、を有してなることを特徴とする骨伝導スピーカー内蔵枕。
【発明の詳細な説明】
【０００１】
【発明の属する技術分野】
本発明は、音楽等の音を骨導音として聴くことができる骨伝導スピーカー内蔵枕に関する。
【０００２】
【従来の技術】
寝ながら音楽等を聴いたりすると、より一層リラックスすることができる場合が多いので、枕の中に音響装置のスピーカー等を内蔵して、寝ながら音楽等を楽しむことができる枕が提案されている。
しかし、このタイプの枕に内蔵されている音響装置のスピーカー等は音楽等の音が空気を振動させることにより鼓膜を振動させて聴くことができる空気伝導によるものである。
このため、前記タイプの枕においては音響装置のスピーカー等から流れる音楽等は音楽等を聴こうとする本人だけでなく、空気を介して周囲の人にも聴こえてしまい周囲の人に迷惑をかけてしまうという不具合がある。
【０００３】
【発明が解決しようとする課題】
本発明は、上記事実に鑑みなされたものであり、枕を使用している者だけが音楽等を聴くことができて、周囲の者には音楽等が聴こえない骨伝導スピーカー内蔵枕を提供するものである。
【０００４】
【課題を解決するための手段】
請求項１の発明は、頭部を保持する枕本体と、この枕本体に形成された骨伝導スピーカー収容穴と、この骨伝導スピーカー収容穴に収容された超磁歪アクチュエータを利用して形成された骨伝導スピーカーと、を有してなることを特徴としている。
請求項２の発明は、頭部を保持する枕本体と、この枕本体に形成された骨伝導スピーカー収容穴と、この骨伝導スピーカー収容穴に収容されると共に超磁歪アクチュエータを利用して形成された骨伝導スピーカーと、この骨伝導スピーカーのケーシングの中央に配設されると共に磁界の変化によって伸縮する性質を有する合金で形成された超磁歪ロッドと、この超磁歪ロッドの外周に配設されると共に音声信号が供給される磁界発生電磁コイルと、この磁界発生電磁コイルの外周に配設されると共に前記超磁歪ロッドにバイアス磁界を付与するバイアス磁界発生磁石と、前記超磁歪ロッドの端部に形成されると共に前記磁界発生電磁コイルで生ずる磁界変化により伸縮する自由端と、この自由端に可動ロッドを介して固定されると共に前記枕本体に載せた頭部が当接する振動パッドと、を有してなることを特徴としている。
請求項３の発明は、頭部を保持する枕本体と、この枕本体の中央部に前後方向に沿って形成された窪み部と、この窪み部の両側部に形成された傾斜部と、この傾斜部に形成された骨伝導スピーカー収容穴と、この骨伝導スピーカー収容穴に収容されると共に超磁歪アクチュエータを利用して形成された骨伝導スピーカーと、この骨伝導スピーカーのケーシングの中央に配設されると共に磁界の変化によって伸縮する性質を有する合金で形成された超磁歪ロッドと、この超磁歪ロッドの外周に配設されると共に音声信号が供給される磁界発生電磁コイルと、この磁界発生電磁コイルの外周に配設されると共に前記超磁歪ロッドにバイアス磁界を付与するバイアス磁界発生磁石と、前記超磁歪ロッドの端部に形成されると共に前記磁界発生電磁コイルで生ずる磁界変化により伸縮する自由端と、この自由端に可動ロッドを介して固定されると共に前記枕本体に載せた頭部が当接する振動パッドと、前記骨伝導スピーカーに一端部が接続される第１コードと、この第１コードの他端部が接続されると共に第２コードを介して音響装置に接続されるアンプと、このアンプに接続されるアダプタと、を有してなることを特徴としている。
【０００５】
【発明の実施の形態】
図１〜図６には本発明に係る骨伝導スピーカー内蔵枕の一実施例が示されている。
図２に示されるように、この骨伝導スピーカー内蔵枕１０の枕本体１２はウレタン１４で平面視略逆ハート形状に一体形成されている。この枕本体１２の図２下側は枕使用者の肩の形状に対応できるように円弧部１２Ａが形成されている。図２〜図４に示されるように、この枕本体１２の中央部には枕本体１２の前後方向に沿って平面視略逆ハート形状の窪み部１６が形成され、図１に示されるように枕使用者の頭部及び頚椎部を安定支持できるようになっている。
図５に示されるように、前記枕本体１２の窪み部１６の両側部に形成された傾斜部１７，１７には骨伝導スピーカー収容穴１８，１８が少し傾斜した状態で形成されている。これら骨伝導スピーカー収容穴１８，１８には超磁歪アクチュエータを利用して形成された骨伝導スピーカー２０，２０がそれぞれ収容されている。なお、これら２個の骨伝導スピーカー２０，２０の構造は同一であるので以下においては一方の骨伝導スピーカー２０について説明する。
図６には前記骨伝導スピーカー２０が縦断面図で示されている。この骨伝導スピーカー２０のケーシング２２の中央には超磁歪ロッド２４が配設されている。この超磁歪ロッド２４は磁界の変化によって伸縮する性質を持った特殊な合金（公知の超磁歪材料）で形成され、電流エネルギーを機械エネルギーに効率よく変換できるようになっている。
前記超磁歪ロッド２４の外周には超磁歪ロッド２４の軸方向に音声電流に応じた磁界を形成する磁界発生電磁コイル２６が設けられている。また、この磁界発生電磁コイル２６の外周には前記超磁歪ロッド２４にバイアス磁界を付与するバイアス磁界発生磁石２８が設けられている。
前記超磁歪ロッド２４の一端部は移動不能な固定端２４Ａとされ、前記ケーシング２２の底部２２Ａに固定されている。また、前記超磁歪ロッド２４の他端部は前記磁界発生電磁コイル２６で生ずる磁界変化により超磁歪ロッド２４の軸方向に伸縮する自由端２４Ｂとされている。この自由端２４Ｂの外側には前記超磁歪ロッド２４の圧縮方向にプリストレスを付与する板バネ３０が設けられている。
前記超磁歪ロッド２４の自由端２４Ｂには可動ロッド３２が連結され、この可動ロッド３２の先端部には振動パッド３４が固定されている。この振動パッド３４の上端面３４Ａは断面円弧状に形成されている。また、図５に示されるように、この振動パッド３４は枕本体１２の傾斜部１７から少し突出するように配設されている。従って、図１に示されるように骨伝導スピーカー内蔵枕１０の枕本体１２に枕使用者が頭部及び頚椎部を載置すると後頭部に前記振動パッド３４の上端面３４Ａが当接するようになっている。
図６に示されるように、前記ケーシング２２の底部２２Ａには電流端子３６が形成され、この電流端子３６には第１コード４０の一端部４０Ａが接続されるようになっていっている。
図１に示されるように、前記第１コード４０の他端部に設けられたプラグ４２，４２は専用アンプ４４に接続されている。
この専用アンプ４４には第２コード４６の一端部に設けられたプラグ４８が差し込まれ、第２コード４６の他端部に設けられたプラグ５０は音響装置としてのＣＤプレーヤー５２に接続されている。従って、専用アンプ４４とＣＤプレーヤー５２は第２コード４６を介して接続されている。
また、前記専用アンプ４４には専用ＡＣアダプタ５４のプラグ５６が差し込まれ、これにより専用アンプ４４と専用ＡＣアダプタ５４は接続されている。
【０００６】
次に実施例の骨伝導スピーカー内蔵枕１０の作用を説明する。
この骨伝導スピーカー内蔵枕１０を使用して音楽を聴きたい場合は、枕本体１２に接続されている第１コード４０の他端部に設けられたプラグ４２，４２を専用アンプ４４に差し込む。そして、第２コード４６のプラグ４８を専用アンプ４４に差し込み、第２コード４６のプラグ５０をＣＤプレーヤー５２のイヤホンジャックあるいは出力端子に差し込む。また、専用ＡＣアダプタ５４のプラグ５６を専用アンプ４４に接続して、専用ＡＣアダプタ５４をコンセントに差し込み専用アンプ４４を作動させる。
そして、前記ＣＤプレーヤー５２のボリュームを最小にした状態にしてＣＤプレーヤー５２の電源を入れる。
そして、枕使用者が枕本体１２に頭部及び頚椎部を載せると頭部及び頚椎部は窪み部１６にフィットした状態で安定支持されると共に骨伝導スピーカー２０の振動パッド３４の上端面３４Ａが後頭部に当たる。
前記ＣＤプレーヤー５２の音声信号は音声電流となって骨伝導スピーカー２０の磁界発生電磁コイル２６に供給される。これにより、前記超磁歪ロッド２４の軸方向に形成される磁界の強度が音声電流に応じて変化し、前記超磁歪ロッド２４は軸方向に伸縮する。従って、音声信号に応じた変位を超磁歪ロッド２４の自由端２４Ａに連結された可動ロッド３２を介して振動パッド３４が振動する。
従って、枕使用者は振動パッド３４が振動することにより後頭部に振動が伝わり、この振動は頭蓋骨から耳小骨・蝸牛が振動し、その結果聴覚神経が刺激されて前記ＣＤプレーヤー５２の音楽を聴くことができる。
従って、本発明の骨伝導スピーカー内蔵枕１０は骨導音によって前記ＣＤプレーヤー５２から生じる音楽等を聴かせるので、周囲の人は前記ＣＤプレーヤー５２から生じる音楽等を聴くことができないので周囲の人に迷惑をかけることがない。
また、骨伝導によって音楽等を聴く場合は耳の疲れが少ないと共に音楽等を聴く場合にヘッドホンを使用する必要が無いのでヘッドホンをした場合のような耳に対する圧迫感がない。
さらに、骨伝導で音楽等を聴く場合は上述したように空気伝導で音楽等を聴く場合と異なり鼓膜を利用しないので、鼓膜に障害があって空気伝導では音楽等を聴き難い人でもクリアーな音を楽しめることができる。
【０００７】
なお、実施例では前記骨伝導スピーカー内蔵枕１０の枕本体１２はウレタン１４で一体形成したが、枕本体１２を構成する素材はウレタン１４に限定されるものでなく、また、枕本体１２は一体形成したものに限定されるものでないことは勿論である。
また、実施例では前記骨伝導スピーカー内蔵枕１０の音響装置としてはＣＤプレーヤー５２を示したが、ＣＤプレーヤー５２以外のＭＤプレーヤー，ラジオ等でもよいことは勿論である。
【０００８】
【発明の効果】
本発明の骨伝導スピーカー内蔵枕は、骨伝導によって音を聴くので周囲の人には音が聴こえないので周囲の人に迷惑をかけずに音楽等を聴いて楽しむことができると共にこれにより一層リラックスすることができるという優れた効果を有する。
また、本発明の骨伝導スピーカー内蔵枕は、骨伝導により音楽等を聴くため耳の疲れが少ないと共にヘッドホンを使用する必要が無いのでヘッドホンを使用した場合に感じる耳に対する圧迫感が全くないという優れた効果を有する。
さらに、本発明の骨伝導スピーカー内蔵枕は、鼓膜を利用しないで音を聴くので、鼓膜に障害があって空気導音は聴き難い人にとってもクリアーな音を楽しめることができるという優れた効果を有する。
【図面の簡単な説明】
【図１】実施例の骨伝導スピーカー内蔵枕をセッティングした概略図である。
【図２】実施例の骨伝導スピーカー内蔵枕の平面図である。
【図３】実施例の骨伝導スピーカー内蔵枕の正面図である。
【図４】実施例の骨伝導スピーカー内蔵枕の斜視図である。
【図５】実施例の骨伝導スピーカー内蔵枕の縦断面図である。
【図６】実施例の骨伝導スピーカー内蔵枕に設けられる骨伝導スピーカーの縦断面図である。
【符号の説明】
１０　　骨伝導スピーカー内蔵枕
１２　　枕本体
１６　　窪み部
１７　　傾斜部
１８　　骨伝導装置収容穴
２０　　骨伝導スピーカー
２２　　ケーシング
２４　　超磁歪ロッド
２６　　磁界発生電磁コイル
２８　　バイアス磁界発生磁石
３０　　板バネ
３２　　可動ロッド
３４　　振動パッド
４４　　専用アンプ
５２　　ＣＤプレーヤー
５４　　専用ＡＣアダプタ
【図１】
2004057261.tif 000003
【図２】
2004057261.tif 000004
【図３】
2004057261.tif 000005
【図４】
2004057261.tif 000006
【図５】
2004057261.tif 000007
【図６】
2004057261.tif 000008